(57)【要約】      （修正有）【課題】ガラス板をガスケットを介してスタッドに直接連結するガラス間仕切り構造であって、簡単な構造でコストが安くなるガラス間仕切り構造の提供。【解決手段】ガスケット１はガスケット本体２と押え３の２ピースから成り、ガスケット本体２の底部４に設けた係止片５ａ，５ｂをスタッド側面に設けた凹溝２５に嵌めて係止し、底部４の一方側に設けた嵌合部１５には押え３の嵌合片１６を嵌めて取付け、そしてガスケット本体２と押え３に設けた押え部１０ａ，１０ｂにてガラス板２４を挟み込んで取付ける。【選択図】図１
2006097282.tif 000002
【特許請求の範囲】
【請求項１】
ガラス板をガスケットを介してスタッドに連結するガラス間仕切り構造において、上記ガスケットはガスケット本体と押えの２ピースから成り、ガスケット本体の底部に設けた係止片をスタッド側面に設けた凹溝に嵌めて係止し、底部の一方側に設けた嵌合部には押えの嵌合片を嵌めて取付け、そしてガスケット本体と押えに設けた押え部にてガラス板を挟み込んで取付けたことを特徴とするガラス間仕切り構造。
【請求項２】
ガラス板を直接スタッドに連結してガラス間仕切りを構成するガスケットにおいて、該ガスケットはガスケット本体と押えの２ピースから構成し、ガスケット本体は底部の両側に係止片を下方へ延ばして設けると共に先端にはツメを形成し、底部の一方側には立上がり部と該立上がり部先端から外方向へ延びる表面部、そして表面部の先端にはコーナー部と傾斜部を介して脚部を斜め下方へ延ばし、該脚部先端には当り部を設け、上記底部の他方側には両側片にて形成している嵌合部を形成し、一方の押えはガスケット中心を対称軸としてガスケット本体を対称位置に表面部とコーナー部、傾斜部、及び脚部、当り部を設け、そしてコーナー部から傾斜して延ばした嵌合片を上記嵌合部に嵌合して押えを取付け、上記ガスケット本体の立上がり部と押え表面部先端には剥離可能な複数の押え片から成る押え部を設けたことを特徴とするガラス間仕切りのガスケット。
【発明の詳細な説明】
【技術分野】
【０００１】
本発明はガラス間仕切りのスタッドにガラスを取付ける為の構造及び該ガスケットに関するものである。
【背景技術】
【０００２】
図４は従来のガラス間仕切りの横断面を示す具体例である。スタッド(イ)を中心として両側にはガラスパネル(ロ)、(ロ)が連結して間仕切りを構成しているが、該ガラスパネル(ロ)は長方形の枠体にガラス板(ハ)が取付けられている。この際、ガラス板(ハ)は枠体に内面に設けている溝(ホ)に嵌っているガスケット(ニ)を介して取付けられ、枠体に嵌っている。
【０００３】
同図は横断面を表している為に、枠体を構成する縦材(ヘ)がスタッド(イ)の側面に形成した凹溝に嵌って連結している状態と成っている。このように、従来のガラス間仕切りのガラスパネル(ロ)は枠体にガスケット(ニ)を介してガラス板(ハ)を嵌めた構造と成っている。このような、ガラスパネル(ロ)、(ロ)がスタッド(イ)を間にして直線状に連結し、スタッド(イ)の一側面に形成している凹溝にはカバー(ト)が取付けられている。
【０００４】
Ｔ型連結構造を構成する場合であれば、上記カバー(ト)を外して同じガラスパネル(ロ)の縦材(ヘ)を凹溝に嵌めて連結することが出来る。このように、従来のガラスパネル(ロ)はガラス板(ハ)が枠体に嵌って構成され、ガラス板(ハ)を直接取付けた構造ではない。従って、ガラス間仕切りはその分だけコストが高く成ってしまう。しかし、同図に示すような従来のガスケット(ニ)では、ガラス間仕切りのスタッド(イ)に該ガスケット(ニ)を介してガラス板(ハ)を直接取付けることは出来ない。
【発明の開示】
【発明が解決しようとする課題】
【０００５】
このように、従来のガラス間仕切りのガラスパネル取付け構造には上記のごとき問題がある。本発明が解決しようとする課題はこの問題点であり、ガラス板をガスケットを介して直接取付けることが出来、簡単な構造でコストが安くなるガラス間仕切り構造及びガスケットを提供する。
【課題を解決するための手段】
【０００６】
本発明に係るガスケットはガスケット本体と押えの２ピース構造とし、ガスケット本体の底部には２本の係止片を有し、スタッド側面に設けている凹溝に嵌ると共にツメに係止して取付けられる。そして、押えはガスケット本体に取付けられるが、ガスケット本体に設けた嵌合部に嵌合すると共に、外れないようにツメに係止される。
【０００７】
ガスケット本体と押えにてガラス板を挟み込んで取付けることが出来、ガスケット本体の嵌合部に嵌合して組合わされた押えはその外観がガスケット本体と対称形を成してガスケットが構成される。ガスケット本体と押えにはガラス板の押え部が設けられ、ガラス板の厚さに応じて調整可能と成っている。そして、ガスケットが取付けられるスタッドには、側面に凹溝が長手方向に連続して形成され、ガラス板の連結形態に応じて側部カバーを取付けたり、ガスケットを取付けたりすることが出来る構造と成っている。
【発明の効果】
【０００８】
本発明のガラス間仕切りは、スタッドにガスケットを介してガラス板を直接連結・取付けることが出来、従来のような枠体にガラス板を嵌めて構成したガラスパネルは不要となる。従って、ガラス板が嵌る枠体が要らなく成ることで、ガラス間仕切りとしての構造は簡略化され、勿論、製作及び据付コストは安くなる。
【０００９】
そして、ガスケットはガスケット本体と押えの２ピースで構成され、スタッド側面に設けた凹溝に取付けられるが、ガスケット本体と押えに挟まれたガラス板は安定して支持される。又、ガスケット本体と押えには剥離可能な複数の押え片を有していることで、ガラス板の厚さが変化した場合であっても何ら支障なく連結され得る。
【実施例】
【００１０】
図１は本発明に係るガスケット１を表している。該ガスケット１はガスケット本体２と押え３の２ピースで構成され、ガラス板はガスケット本体２と押え３との間に挟まれて支持される。ガスケット本体２は底部４の両側に係止片５ａ，５ｂを下方へ延ばし、底部４の一方の係止片側から上方へ延びる立上がり部６を有し、立上がり部６の先端から表面部７ａが垂直外方向へ延び、そして、表面部先端からは脚部８ａが斜め下方へ延びている。そして、脚部先端には当り部９ａを有している。
【００１１】
又、上記立上がり部６の上端部表面にはガラス板を押える押え部１０ａを設け、該押え部１０ａは複数の押え片１１ａ，１１ｂ・・から成っていて、ガラス板の厚さに応じて剥離することで調整できる形態と成っている。そして、表面部７ａと脚部８ａを繋ぐ境界には約４５°に傾斜したコーナー部１２ａと傾斜部１３ａを設けている。
【００１２】
一方の押え３はガスケット本体２と同じく、表面部７ｂと脚部８ｂを有し、表面部７ｂと脚部８ｂを繋ぐ境界には約４５°に傾斜したコーナー部１２ｂと傾斜部１３ｂを設けている。そして、この押え３はガスケット本体２に取付けられて、ガスケット１となることが出来る訳で、該ガスケット１は中心を軸としてガスケット本体２と押え３は外観的に対称形を成している。ガスケット本体２の底部他方側には嵌合部１５を設け、この嵌合部１５に押え３のコーナー部１２ｂから斜め方向へ延びる嵌合片１６が嵌合している。
【００１３】
上記嵌合部１５は両側片１４ａ，１４ｂにて形成され、側片１４ａの先端部は外側へ湾曲して入口幅を拡大し、一方の側片１４ｂの内面にはツメ１７を形成し、嵌合部１５に嵌合した嵌合片１６の先端に設けているツメ１８が係止することで、外れないようになる。又、押え３の先端には剥離可能な複数の押え片１１ｂ、１１ｂ・・から成る押え部１０ｂを有している。
【００１４】
ところで、ガラス板は両押え部１０ａ，１０ｂの間に挟まれて取付けられるが、ガラス板の厚さに応じて押え片１１ａ，１１ｂ・・は適当に剥離される。ガラス板の取付け方は、ガスケット本体２をスタッドに取付けた状態でガラス板を嵌め、そして、押え３の嵌合片１６を嵌合部１５に嵌合してガラス板を挟み込むことが出来る。
【００１５】
図２はスタッド１９の具体例を示す断面である。該スタッド１９はスタッド本体２０と押え材２１の２ピースで構成され、該スタッド１９は３方向にパネルを連結してＴ型連結形態を構成することが出来る。三方には嵌合空間２２ａ，２２ｂ，２２ｃを有し、これら嵌合空間２２ａ，２２ｂ，２２ｃにパネル２３ａ，２３ｂ，２３ｃの側端が嵌って連結される。そして、スタッド１０の一側面はＷ形断面を形成し、デザインの向上を図っている。
【００１６】
ところで、同じスタッド１９はパネル２３ａ，２３ｂ，２３ｃだけでなく、上記図１に示したガスケットを介してガラス板を連結することが出来る構成と成っている。図３は上記スタッド１９にガスケット１ａ，１ｂ，１ｃを取付けて、ガラス板２４ａ，２４ｂ，２４ｃを保持している場合の断面を示している。すなわち、Ｔ型ガラス間仕切り構造と成っている。
【００１７】
スタッド１９の三方には凹溝２５ａ，２５ｂ，２５ｃが長手方向に連続して設けられ、これら凹溝２５ａ，２５ｂ，２５ｃにガスケット１ａ，１ｂ，１ｃが取付けられる。上記ガスケット本体２の底部４に設けられる両係止片５ａ，５ｂが凹溝２５に嵌り、凹溝両側に形成しているツメ２６ａ，２６ｂに係止片５ａ，５ｂの先端ツメ２７ａ，２７ｂが係止することで外れないように取付けられる。
【００１８】
ガスケット本体２の係止片５ａ，５ｂが凹溝２５に嵌って先端ツメ２７ａ，２７ｂがツメ２６ａ，２６ｂに係止すると共に、底部両側に設けているストッパー２８ａ，２８ｂがスタッド側面に当接し、又、脚部８ａ，８ｂの先端に設けている当り部９ａ，９ｂもスタッド側面に当接して安定して取付けられる。
【００１９】
ガスケット１ａはガラス板２４ａを挟み込む途中の段階であるが、ガスケット本体２の係止片５ａ，５ｂを凹溝２５に嵌めて係止したところでガラス板２４を嵌め、その後、押え３を取付けてガスケット本体２の押え部１０ａと押え３の押え部１０ｂとで挟持することが出来る。この際、押え３を取付けるに際して、４５°に傾斜したコーナー部１２ｂを押圧して嵌合片１６を嵌合部１５に嵌合することが出来る。
【００２０】
図３は３方向にガラス板２４ａ，２４ｂ，２４ｃを連結した構造と成っているが、同じスタッド１９を用いて直線型連結、及びＬ型連結を行うことも可能である。この場合には、ガラス板２４が連結しない側のスタッドには、上記ガスケット１に代わって、側面カバーが取付けられる。又は、直線型連結構造及びＬ型連結構造とする専用のスタッド１９を用いることは自由である。すなわち、ガラス板２４が連結しないスタッド本体２０の側面を、図２に示すＷ形断面とすることも出来る。
【図面の簡単な説明】
【００２１】
【図１】本発明に係るガスケットを示す実施例。
【図２】スタッドの断面図。
【図３】スタッドの三方向側面に取付けたガスケットを介してガラス板を連結した場合。
【図４】従来のガラスパネルの連結構造。
【符号の説明】
【００２２】
１  ガスケット
２  ガスケット本体
３  押え
４  底部
５  係止片
６  立上がり部
７  表面部
８  脚部
９  当り部
10  押え部
11  押え片
12  コーナー部
13  傾斜部
14  側片
15  嵌合部
16  嵌合片
17  ツメ
18  ツメ
19  スタッド
20  スタッド本体
21  押え材
22  嵌合空間
23  パネル
24  ガラス板
25  凹溝
26  ツメ
27  ツメ
28  ストッパー
【図１】
2006097282.tif 000003
【図２】
2006097282.tif 000004
【図３】
2006097282.tif 000005
【図４】
2006097282.tif 000006